(57)【要約】      （修正有）【課題】バックフラッシュニードルを提供する。【解決手段】バックフラッシュニードル１０は、眼科手術において眼球に装着されたカニューレを通して用いるバックフラッシュニードル１０であって、カニューレを貫通する管形状のニードル本体１１と、そのニードル本体１１の先端に接続された管形状の軟質部材２０と、ニードル本体１１及び軟質部材２０のそれぞれの管形状の中空を貫通する棒状の芯部材２１と、を有し、芯部材２１が軸方向に移動自在であって、芯部材２１の先端を軟質部材２０から突出させたりニードル本体１１から離れる位置まで引っ込めたりできるものである。【選択図】図１
2019041864.tif 000002
【特許請求の範囲】
【請求項１】
眼科手術において眼球に装着されたカニューレを通して用いるバックフラッシュニードルであって、
カニューレを貫通する管形状のニードル本体と、前記ニードル本体の先端に接続された管形状の軟質部材と、前記ニードル本体及び前記軟質部材のそれぞれの管形状の中空を貫通する棒状の芯部材と、を有し、
前記芯部材が軸方向に移動自在であって、前記芯部材の先端を前記軟質部材から突出させたり前記ニードル本体から離れる位置まで引っ込めたりできることを特徴とするバックフラッシュニードル。
【請求項２】
前記芯部材は移動部材に接合しており、前記ニードル本体が接合されているハンドル部から突出している前記移動部材を動かすことで、前記芯部材の軸方向の移動が行われることを特徴とする請求項１に記載のバックフラッシュニードル。
【発明の詳細な説明】
【技術分野】
【０００１】
本発明は、硝子体手術に用いられるバックフラッシュニードルに関する。
【背景技術】
【０００２】
眼科で行われる硝子体手術は、眼球内のゼリー状の硝子体や硝子体が変性して形成された網膜上の増殖膜及び出血や濁り等を吸引・除去する手術である。このような硝子体手術において使用される手術器具の一つとして、バックフラッシュニードルがある（例えば、特許文献１参照）。
【０００３】
図４は、バックフラッシュニードルの使用説明図である。バックフラッシュニードル１１０は、施術者が把持するハンドル１２に接続し眼球内に挿入される細い管形状のニードル本体１１と、そのニードル本体１１の先端に接続される軟質部材２０を有している。この軟質部材２０は、手術中に器具の先端が網膜に接触したとしても網膜を傷つけないように備えられており、この軟質部材２０を設けることで、網膜に近い硝子体等も吸引することが可能となる。
【０００４】
ニードル本体１１と軟質部材２０との接続は、接着剤を使用したり、接続部分を嵌合構造にしたりすることで行われる。なお、軟質部材２０としては、素材は特に限定しないが、例えばシリコーン樹脂を用いることができ、形状としても管形状に限らず、ブラシのような形状にしたものもある。
【０００５】
バックフラッシュニードル１１０は、眼球Ｅに装着しているカニューレ３０を通して使用される。カニューレ３０は、金属性のカニューレパイプ３１を樹脂製のカニューレベース３２に嵌め込んだものである。カニューレ３０を眼球Ｅに装着するときは、カニューレパイプ３１を強膜に突き刺すのだが、このとき突き刺し過ぎないようにカニューレベース３２がストッパとして機能する。また、カニューレ３０を眼球Ｅに装着した状態のときに、眼球内から硝子体液がカニューレパイプ３１を通って排出されることを抑えるために、カニューレベース３２からカニューレパイプ３１の後端を覆うカニューレキャップ３３が用いられる。なお、カニューレキャップ３３には、バックフラッシュニードル１１０などの眼科手術器具を通すためのスリットが設けられている。
【０００６】
ここで、バックフラッシュニードル１１０をカニューレ３０に通す際、先端の軟質部材２０がカニューレキャップ３３のスリットやカニューレパイプ３２の中空内面に接触することで、軟質部材２０が変形したり、軟質部材２０とニードル本体１１との接続部分が剥がれたりすることがある。軟質部材２０が変形すると、硝子体等の吸引を阻害する要因になることがあるし、軟質部材２０がニードル本体１１から外れると、眼球内から軟質部材２０を取り出すのに苦労することになる。
【先行技術文献】
【特許文献】
【０００７】
【特許文献１】特開２０１４−５０４３３
【発明の概要】
【発明が解決しようとする課題】
【０００８】
上記のような事情に鑑み、本発明は、カニューレに通す際に先端の軟質部材の形状を保持することができるバックフラッシュニードルを提供することを目的としている。
【課題を解決するための手段】
【０００９】
上記の目的を達成するために本発明のバックフラッシュニードルは、眼科手術において眼球に装着されたカニューレを通して用いるバックフラッシュニードルであって、カニューレを貫通する管形状のニードル本体と、そのニードル本体の先端に接続された管形状の軟質部材と、ニードル本体及び軟質部材のそれぞれの管形状の中空を貫通する棒状の芯部材と、を有し、その芯部材が軸方向に移動自在であって、芯部材の先端を軟質部材から突出させたりニードル本体から離れる位置まで引っ込めたりできるものである。
【００１０】
ここで、芯部材は移動部材に接合しており、ニードル本体が接合されているハンドル部から突出している移動部材を動かすことで、芯部材の軸方向の移動が行われることにするとよい。
【発明の効果】
【００１１】
本発明のバックフラッシュニードルによれば、ニードル本体をカニューレに通す際に、ニードル本体の先端に接続された軟質部材が変形したり取れたりするのを抑制する効果を奏する。
【図面の簡単な説明】
【００１２】
【図１】本発明のバックフラッシュニードルの説明図であって、（ａ）は正面図、（ｂ）は芯部材を突出させた内部構造図、（ｃ）は芯部材を引っ込めた内部構造図である。
【図２】本発明のバックフラッシュニードルの先端拡大図である。
【図３】(ａ)及び（ｂ）は、他の移動部材を例示する図である。
【図４】バックフラッシュニードルの使用説明図である。
【発明を実施するための形態】
【００１３】
以下、本発明の実施の形態を添付図面を参照して説明する。
【００１４】
図１は、本発明のバックフラッシュニードルの説明図であって、（ａ）は正面図、（ｂ）は芯部材を突出させた内部構造図、（ｃ）は芯部材を引っ込めた内部構造図である。また、図２は、本発明のバックフラッシュニードルの先端拡大図である。
【００１５】
バックフラッシュニードル１０を通すカニューレは、従来のカニューレと同様の構成であって、金属性のカニューレパイプを樹脂製のカニューレベースに嵌め込んだものである。そして、眼球に装着した状態のときに硝子体液がカニューレパイプを通って排出されるのを抑えるために、カニューレベースとカニューレパイプの後端を覆うカニューレキャップが備えられている。
【００１６】
バックフラッシュニードル１０の基本の構成も従来と同様に、施術者が把持するハンドル１２に接続する細い管形状のニードル本体１１と、そのニードル本体１１の先端に接続された軟質部材２０とを有している。軟質部材２０は、シリコーン樹脂等の軟質な材料で形成され、ニードル本体１１と同様の管形状であり、外径及び中空の径は、ニードル本体１１と同程度とする。また、ニードル本体１１と軟質部材２０との接続も従来と同様に、接着剤を用いて接着したり、接続部分を嵌合構造にしたりすることで行われる。
【００１７】
本発明のバックフラッシュニードル１０は、ニードル本体１１と軟質部材２０の管形状の中空を貫通する芯部材２１を有しているという特徴がある。芯部材２１の材質は、ステンレスが適しているが、特にステンレスに限定するものではない。
【００１８】
芯部材２１は、ニードル本体１１及び軟質部材２０の中空の径より僅かに細い外径の棒状の部材とし、芯部材２１をハンドル１２の外部から動かすことができる移動部材２２に繋がっている。なお、芯部材２１が細すぎると軟質部材２０の変形を抑えることができず、また、ニードル本体１１及び軟質部材２０の中空の径とほぼ同じ外径とすると、芯部材２１を軸方向に前後に動かすときに、摩擦で芯部材２１の動きが鈍くなったり、軟質部材２０に引っ掛かって軟質部材２０がニードル本体１１から剥がれる原因になったりするので、ニードル本体１１及び軟質部材２０の中空の径より僅かに細い外径とするのがよい。
【００１９】
図１で例示した移動部材２２は、ハンドル１２の側面から突出したものであって、この移動部材２２を摘んでバックフラッシュニードル１０の軸方向に動かすことで芯部材２１も軸方向に動かすことができる。
【００２０】
移動部材の構造は、図１の構造以外であってもよい。図３の（ａ）及び（ｂ）は、他の移動部材を例示する図である。なお、これらの図は、移動部材２２の構造を簡単に図示したものなので、説明に不要な部材は省略している。
【００２１】
図３（ａ）は、ノック式ボールペンの芯を出し入れする構造のように、ハンドル１２の内部にバネ４１を備え、ハンドル１２の後端に設けたボタン形状の移動部材２２を押すことで、芯部材２１を軸方向に前後させる構造である。
【００２２】
次に、図３（ｂ）は、芯部材２１にネジ部材４２を接続し、移動部材２２を回転させて動かすことで、ネジ部材４２が軸方向に動くので、芯部材２１も軸方向に動かすことができるという構造である。
【００２３】
なお、移動部材２２はこれらの構造に限定するものではなく、芯部材２１を軸方向に前後させることが可能であれば、これら以外の構造であってもよい。
【００２４】
移動部材２２を使って芯部材２１を最も前に出したとき（図１（ｂ））は、芯部材２１の先端が軟質部材２０の先端から若干突出する状態（図２）になり、芯部材を最も後ろに引いたとき（図１（ｃ））は、芯部材２１がニードル本体１１から後方に離れた状態になるようにするのがよい。
【００２５】
芯部材２１を前に出したときに、軟質部材２０の先端から突出していれば、軟質部材２０の全体に亘って変形を防ぐ効果があり、また、芯部材２１を後ろに引いたときに芯部材２１がニードル本体１１から後方に離れていれば、吸引された硝子体等をニードル本体１１の中空からハンドル１２の内部を通過させて、ハンドル１２の後端側に設けられているパイプ１３へと導くことができるからである（図１（ｃ）矢印参照）。
【００２６】
以上のような芯部材２１を備えたバックフラッシュニードル１０とすることで、軟質部材２０及びニードル本体１１がカニューレを貫通する際に、芯部材２１を軟質部材２０から突出させておけば、軟質部材２０の変形や軟質部材２０とニードル本体１１との接続部分が剥がれることを防ぐことができる。そして、吸引作業中は、芯部材２１を引っ込めることで、硝子体等を問題なく吸引することができる。
【符号の説明】
【００２７】
１０ バックフラッシュニードル
１１ ニードル本体
１２ ハンドル
１３ パイプ
２０ 軟質部材
２１ 芯部材
２２ 移動部材
３０ カニューレ
３１ カニューレパイプ
３２ カニューレベース
３３ カニューレキャップ
４１ バネ
４２ ネジ部材
Ｅ 眼球
【図１】
2019041864.tif 000003
【図２】
2019041864.tif 000004
【図３】
2019041864.tif 000005
【図４】
2019041864.tif 000006